(57)【特許請求の範囲】
【請求項１】
弁フレーム内を貫通する流体流路に直交して弁体がスライドし前記流体流路を遮断及び開放するゲート弁であり、前記弁フレーム内には前記弁体の両側端部をガイドする弁体スライド面が形成され、前記弁体の両側端部には前記流体流路遮断のための弁体スライド時に前記弁体スライド面を先行スライドし、前記流体流路の完全遮断時にその両先端部が接合する弾性を有する異物除去部材の後端部がそれぞれ固着されてなることを特徴とするゲート弁。
【請求項２】
前記両異物除去部材の長さを異ならしめたことを特徴とする請求項１に記載のゲート弁。
【請求項３】
前記両異物除去部材が耐蝕性素材であることを特徴とする請求項１又は２に記載のゲート弁。
【発明の詳細な説明】
【０００１】
【発明の属する技術分野】
本発明は、弁フレーム内を貫通する流体流路に直交してスライドする弁体により、前記流体流路を遮断及び開放するゲート弁（スライド弁）に関する。
【０００２】
【従来の技術】
従来、産業、その他の各種分野で前記ゲート弁が多く使用されており、特に、流体流路の遮断時における弁フレーム内の流体流路と弁体との間のシール構造及び方法等についての各種提案がなされている。
【０００３】
【発明が解決しようとする課題】
前記のごとく、ゲート弁は、弁フレーム内を貫通する流体流路に直交してスライドする弁体からなり、前記流体流路両側、すなわち、該流体流路両側の前記弁フレームには、前記弁体のスライドをガイドする溝等の弁体スライド面が形成されている。
【０００４】
前記構成において、前記弁フレームに形成された前記弁体スライド面に異物が存在すると、前記弁体のスライド時、すなわち、流体流路の遮断時に、前記弁体と前記弁フレームに形成された弁体スライド面との間に異物が挟まり、前記弁体による前記流体流路の完全遮断が困難になるものであった。
【０００５】
前記現象は、海水を流体とするゲート弁において著しく、海水での使用を継続すると、前記弁体スライド面、その他に、貝類が発生及び付着等して、前記貝類の固い殻が、前記弁体による流体流路の完全遮断を困難にするものであった。
【０００６】
本発明は、前記事情に鑑み、前記弁フレーム内の弁体スライド面に異物が存在した場合にも、該異物を前記流体流路の遮断に先立って除去し、弁体による前記流体流路の完全遮断を可能にするものである。
【０００７】
【課題を解決するための手段】
請求項１に示す本発明のゲート弁は、弁フレーム内を貫通する流体流路に直交して弁体がスライドし前記流体流路を遮断及び開放するゲート弁であり、前記弁フレーム内には前記弁体の両側端部をガイドする弁体スライド面が形成され、前記弁体の両側端部には前記流体流路遮断のための弁体スライド時に前記弁体スライド面を先行スライドし、前記流体流路の完全遮断時にその両先端部が接合する弾性を有する異物除去部材の後端部がそれぞれ固着された構成である。
【０００８】
前記弁体のスライド方向は、一般的には縦方向であるが、横方向であってもよい。また、前記弁体スライド面は、弁体のガイド溝が一般的であるが、該ガイド溝に限定されない。
【０００９】
また、前記異物除去部材は、前記流体流路遮断のため弁体スライド時に、前記フレーム内に形成された前記流体流路両側の弁体スライド面及び湾曲させられた弁体の最終適合面（以下、いずれも「弁体スライド面」と言う。）に密着して先行スライドし、その両先端部が前記弁体スライド面に付着した貝類等の異物を剥離する強度を有し、容易に折損することがなく、さらに前記流体流路の遮断開放時には、直線状に現状復帰する弾性を有する素材からなり、金属、プラスチック、その他。材質を問わない。
【００１０】
この請求項１によれば、流体流路遮断のための弁体スライド時には、前記異物除去部材が、前記弁フレーム内に形成された弁体スライド面に密着して先行スライドし、その両先端部が該弁体スライド面に付着している貝類等の異物を、その付着面から剥離する。そして前記異物除去部材によって剥離された前記貝類等の異物は、流体流路を流れている流体により、それぞれ下流に流され、排出される。
【００１１】
そして、前記弁体が縦方向にスライド操作される一般のゲート弁の場合においては、該弁体による前記流体流路の完全遮断が近くなると、前記異物除去部材の先端方向が、前記弁フレームの底部に形成されている前記湾曲させられた弁体の最終適合面としての弁体スライド面に適応して湾曲させられ、該弁体スライド面に密着して先行スライドさせられて、該弁体スライド面に付着している貝類等の異物を、その付着面から剥離する。
【００１２】
前記剥離された貝類等の異物は、前記と同様に流体流路を流れている流体によりそれぞれ下流に流されて、排出され、最終的に、前記弁体による流体流路の完全遮断が行われる。
【００１３】
なお、前記弁体による流体流路の完全遮断時には、前記異物除去部材は、図２に示すように、その両先端部が接合され、前記弁体の下半分に巻き付いた状態に変形させられる。
【００１４】
前記の如くして、本発明によれば、前記弁フレーム内の弁体スライド面に付着している貝類等の異物が、前記弁体のスライドに先行してスライドする前記異物除去部材により除去されて、前記弁体による流体流路の完全遮断が行われる。
【００１５】
そして、さらに前記異物除去部材は、前記流体流路の遮断開放時には、弾性により、直線状に原状復帰させられて、つぎの流体流路の遮断に備えられる。
【００１６】
請求項２に示す本発明の他の実施の一形態は、前記弁体の両側端部に後端部を固着する前記異物除去部材の長さを同じにせず、異なった長さにすることを特徴とする。
【００１７】
この請求項２によれば、一方の長く形成された前記異物除去部材の先端部が、流体流量の多い時点、すなわち、前記弁体による流体流路の遮断開始時点の流体流量の多い時点で、前記弁フレームの底部に形成されている湾曲させられた弁体スライド面に付着している貝類等の異物を、その付着面から剥離し、該剥離した貝類等の異物を流量の多い流体によって、効果的に下流に流し、排出する。
【００１８】
請求項３は、前記弁体の両側端部に設ける前記異物除去部材を、耐蝕性素材で構成するものである。すなわち、前記異物除去部材を金属で構成する場合には、ステンレス等の耐蝕性素材が使用される。この請求項３は、前記異物除去部材の耐久性を向上維持するものである。
【００１９】
【発明の実施の形態】
以下に、本発明の実施の一形態を説明する。図１は、本発明のゲート弁の流体流路の開放状態を示す一部断面正面図、図２は、図１の流体流路の遮断状態を示す要部断面図、図３は、他の実施の一形態を示す流体流路の開放状態を示す一部断面図、図４は、図３の流体流路の遮断状態を示す要部断面図である。
【００２０】
図中、１は弁フレーム、２は弁体、３は流体流路である。前記弁体２には、スクリューロッド４が連結され、該スクリューロッド４に螺合させられ、前記弁フレーム１側に支持されたハンドル５を回転操作することにより、前記スクリューロッド４を介して前記弁体２が上下動させられて、該弁体２が前記流体流路３の遮断及び遮断開放を行う構成になっている。
【００２１】
また、図中、６は前記弁体２をガイドする弁体スライド面であり、溝に構成され、図１及び図２に示す実施の一形態では、前記弁体スライド面６を、前記弁体２が直接スライドさせられることなく、後端部が前記弁体２の両側端部に固着され、流体流路遮断のための弁体スライド時に前記弁体スライド面を先行スライドする異物除去部材７ａ、７ｂが先行スライドさせられる構成になっている。
【００２２】
前記異物除去部材７ａ及び７ｂは、いずれも、ステンレス等の耐蝕性素材からなり、弾性を有し、予め、前記弁体スライド面６に適合する幅に構成され、さらに前記弁体２による前記流体流路３の完全遮断時には、その両先端部が接合される長さに構成されている。
【００２３】
前記構成において、前記弁体２により前記流体流路３が開放され、前記流体流路３内に海水等が流されている状態が継続すると、前記弁体スライド面６等に貝類が発生及び付着、あるいはその他の異物が堆積付着等する。
【００２４】
本発明によれば、前記の状態に、すなわち、弁体スライド面６に、貝類、その他の異物が付着等した状態で、前記ハンドル５を回転操作して前記流体流路３の遮断を開始すると、前記弁体２のスライドに先立って前記異物除去部材７ａ、７ｂの先端部８ｂが、前記弁体スライド面６をスライドさせられ、該弁体スライド面６に発生及び付着している貝類、あるいはその他の異物を、その付着面から剥離する。そして、前記剥離された異物は、剥離と同時に、前記流体流路３を流れている流体により下流に流され、排出される。
【００２５】
そして、前記弁体２による前記流体流路３の完全遮断が近くなると、前記異物除去部材７ａ、７ｂの先端方向が、前記弁フレーム１の底部に形成されている前記湾曲させられた弁体２の最終適合面としての弁体スライド面に６に適応して湾曲させられ、該弁体スライド面６に密着して先行スライドさせられて、該弁体スライド面６に付着している貝類等の異物を、その付着面から剥離し、該付着面から剥離された異物は、前記同様に前記流体流路３を流れている流体により、下流に流され、排出させられる。
【００２６】
図３及び図４に示す、実施の一形態は、前記弁体２が前記弁体スライド面６に適合させられ、さらに前記異物除去部材７ａ、７ｂが、前記弁体２の径に適合させられて前記弁体スライド面６をスライドさせられる構成であり、さらに前記異物除去部材７ａ、７ｂの一方、すなわち、前記異物除去部材７ａが、他方、すなわち、前記異物除去部材７ｂより長く構成されている。
【００２７】
この実施の一形態によれば、前記弁体２が、前記流体流路３を遮断し始めた流量の多い時点で、前記長く構成された異物除去部材７ａの先端部８ｂが、弁フレーム１の底部に形成されている前記湾曲させられた弁体２の最終適合面としての弁スライド面６に付着している貝類等の異物を、その付着面から剥離し、該貝類等の異物を流量の多い流体によって、効果的に下流に流し、排出する。
【００２８】
【発明の効果】
本発明によれば、弁体による流体流路の遮断に先立って、弁体スライド面の異物が除去されるため、弁体による流体流路の完全遮断が保障される効果が得られる。
【図面の簡単な説明】
【図１】本発明のゲート弁の流体流路の開放状態を示す一部断面正面図である。
【図２】図１の流体流路の遮断状態を示す要部断面図である。
【図３】他の実施の一形態を示す流体流路の開放状態を示す一部断面正面図である。
【図４】図３の流体流路の遮断状態を示す要部断面図である。
【符号の説明】
２  弁体
３  流体流路
６  弁体スライド面
７ａ、７ａ  異物除去部材
【図１】
0003619418.tif 000002
【図２】
0003619418.tif 000003
【図３】
0003619418.tif 000004
【図４】
0003619418.tif 000005